Podtech/llm-jp-corpus-v4-ja_patent huggingface dataset:
(57)【要約】【課題】  椅子から自力で楽に立ち上がり・座りを補助するための、自力立ち上がり・座り椅子を提供する。【解決手段】座板にＬ字型回転フレームを設け、Ｌ字型回転フレームにローラーバーを設け、ローラーバーを前に押すことにより座板の後部を斜めに押し上げ、自力での立ち上がり・座りを容易にすることを特徴とする自力立ち上がり・座り椅子。【選択図】  図１
2006223815.tif 000002
【特許請求の範囲】
【請求項１】
座板にＬ字型回転フレームを設け、Ｌ字型回転フレームにローラーバーを設け、ローラーバーを前に押すことにより座板の後部を斜めに押し上げ、自力での立ち上がり・座りを容易にすることを特徴とする自力立ち上がり・座り椅子。
【発明の詳細な説明】
【技術分野】
【０００１】  本発明は、老人や身体障害者等の足腰の弱く、衰えた人が使用するのに適した、自力立ち上がり・座り椅子に関するものである。
【背景技術】
【０００２】  従来、老人や身体障害者等の足腰の衰えた人が、椅子から立ち上がったり、座ったりするのを補助する場合には、椅子に電動モーターやガスシリンダーなどを取り付けたものが使用されている。
【特許文献１】    特開２０００−１０２５６４号公報
【発明の開示】
【発明が解決しょうとする課題】
【０００３】  そのために、次のような問題点があった。
（イ）        電動モーターやガスシリンダーなどを使った起立・座着補助椅子は、どれも高価で構造も複雑であった。
（ロ）        起立を補助しても身体の前に支えがないため、つんのめってしまい、結局は付添い人の介助を必要としていた。
（ハ）        老人や身体障害者などの足腰の衰えた人の座位から立位・立位から座位への移乗を介助する時、付添い人が身体を支えなくてはならない為、付添い人の負担は重く、付添い人の健康にも影響が出ていた。
（ニ）        介護なしに立位から座位に移乗することが出来ない人が、自力で座る事の出来る椅子はなかった。
本発明は、以上の問題点を解決しようとするものである。
【課題を解決するための手段】
【０００４】  座板にＬ字型回転フレームを設け、Ｌ字型回転フレームにローラーバーを設け、座った状態から、ローラーバーを前に押すことにより、前圧に連動して、座板の後部が支点を介して斜め前に押し上げられ、自力での立ち上がり・座りを容易にする。以上を特徴とする自力立ち上がり・座り椅子である。
【発明の効果】
【０００５】  椅子に座った状態から、テコの原理を応用し、自力（胸・腕の力）で立ち上がることができる。また立ち上がった時には、身体の前に支えのローラーバーがあるため、前につんのめることがない。ローラーバーを利用して、介助人の支えがなくても、自力で立ち上がったり、座ったりすることができる。また電動モーターやガスシリンダーなどを必要としないので、構造も簡単で安価である。この自力立ち上がり・座り椅子の機能は、ベッドやトイレにも応用することができる。
【発明を実施するための最良の形態】
【０００６】  以下、本発明の実施の形態について説明する。
（イ）座板（１）と連携したＬ字型回転フレーム（２）を設ける。
（ロ）Ｌ字型回転フレーム（２）に接続したローラーバー（３）を設ける。
（ハ）Ｌ字型回転フレーム（２）とローラーバー（３）の接続部にローラーバー開閉具（４）を設ける。
（二）Ｌ字型回転フレーム（２）に回転軸（５）を設ける。
（ホ）座板（１）の後部に、バランスウェイト（７）を設ける。
本発明は以上のような構造で、これを使用するときは、座っている椅子から立ち上がる時、身体の前にあるローラーバー（３）を前に押す。すると座板（１）の後部が持ち上がり、お尻を上昇させ、立ち上がりを補助する。ローラーバー（３）は、立ち上がり時の支えになる。また、立ち上がった状態から座る時は、ローラーバー（３）に胸を預け、お尻をゆっくり下げながら座る事ができる。
【図面の簡単な説明】
【０００７】
【図１】本発明の斜視図
【図２】本発明の使用状態を示す斜視図
【符号の説明】
【０００８】      １    座板
２    Ｌ字型回転フレーム
３    ローラーバー
４    ローラーバー開閉具
５    回転軸
６    側板
７    バランスウェイト
【図１】
2006223815.tif 000003
【図２】
2006223815.tif 000004
(57)【要約】      （修正有）【課題】消費電力を節約する洗濯機で、モーターを冷やす時の熱で自らの液温を上げて被洗濯物の表面張力を下げ洗濯効果も上げる洗濯機の提供。【解決手段】共転するブッシングの筒を嵌め込んでその外径表面をそれより小さい径のハウジングの開口部に嵌め込む事により外周部も同時にシールして内部を保護するモーターを、直接洗濯機に漬けて被洗濯物との間にネット上のものを介してファンを作動させ、回転する洗濯液と接触させてモーターを冷やしてモーター内の温度の上昇を抑えて効率を上げ、消費電力を節約する洗濯機。【選択図】図１
2006223830.tif 000002
【特許請求の範囲】
【請求項１】
洗濯機の中の液体の入った槽に直接モーターを設置して、槽の中の液体を回転させるのにモーターと連結するファンを被洗濯物との間のネット状のものを透して直接槽の中の液体が回転させるモーターに接触してモーター内の温度を液体で常時冷却しモーターのトルクの効率を向上させると同時に液体の温度を上昇させて被洗浄物の表面張力を下げて洗浄力を上げて電力の消費を減少させる構造の洗濯機。
【請求項２】
前記（請求項１）に於いてモーターの回転軸の回りから液体がモーターのハウジングの内部に浸入しない為、前記モーターの回転軸径より短い内径のブッシングの筒内径を広げて前記回転軸に嵌め込み回転軸表面とブッシングの内壁からの水の浸入を阻止し、一方、ブッシングの外径が前記ハウジングの開口部の直径より大きくすることによって前記ブッシングの外径を前記ハウジングの開口部に回転軸と共転させることによってブッシングの外周部を押し付ける事によってモーター内部に液体が侵入することを防ぐ構造のモーターを配置した構造の洗濯機。
【請求項３】
前記（請求項２）に於いて、静止しているモーターのハウジング開口部にブッシングの外周を押付けるその反発力が洗濯槽の内圧を上回る力で締付けるトルクを発生させる前記ブッシングの外径を設定して水のハウジング内えの侵入を防止する回転軸封システムを備えたモーターを装備する構造の洗濯機。
【発明の詳細な説明】
【背景技術】
【０００１】従来の洗濯機は、洗濯槽の中の水流を回転させて被洗濯物の洗浄を行う仕組にモーターを洗濯槽の外側に設置して駆動させて水流を回転させるファンと連結して作動させて洗濯をするメカニズムである。【０００２】上記（０００１）項に於いて、上記モーターのハウジング内の温度は７０度から８０度に達する為回転トルクは効率が７４％以下に低下して駆動する為相対的に消費電力が大きかった。【０００３】上記（０００３）項に於いて、洗濯槽の水流を回転させる為のファンの回転軸に用いられているシール部材は回転軸を軸の外周を弾性体で回転を止める方向の圧力で締付けて槽内の水が漏れないようにシールする方式のシール部材なのでモーターえの負荷が極めて大きく且つ、シール面の部材の磨耗と発熱が大きく、モーターの性能と消費電力えの影響が大きい。
【当該技術】
【０００４】当該洗濯機は、モーターを洗濯槽の中に入れて駆動させるので常時洗濯液でモーター内の温度が冷やされるのでモーターの効率が高く従って大きいトルクでファンを回すので消費電力が小さい洗濯機です。
【０００５】上記（０００４）項に於いて、洗濯液の中にモーターを直に漬けるとモーターのハウジング内に洗濯液が侵入するのを防ぐのに軸径より小さい内径のブッシングの筒の内径を広げてモーターのシャフトに嵌め込むことによって軸表面とブッシング内壁との間からの液の漏れを防ぐと同時に、軸と共転するブッシングの外周をそれより内径の小さなモーターのハウジングの開口部に押付けることによって外周からの液漏れを防ぐので液中のモーターのハウジング内の機密性が保たれて高い効率の駆動を可能にする洗濯機です。
【０００６】上記（０００５）に於いて、モーターの軸封部材が静止しているモーターのハウジングの開口部に穴径より大きい共転するブッシングの外径を挿し込んで開口部に押付けて洗濯槽内の液の侵入を防止する機構なので、その侵入圧よりも分ブッシングの外径を開口部に挿し込んだ時より大きい反発力を生じる寸法に設定しておけばモーターの中に洗濯液が侵入しないので従来のシール部材より遥かに小さい負荷でより大きなシール性能が得られることから結果的に大幅な消費電力の節減が可能となる。現に、ある標準モーターのテストでシール負荷が半減する結果をえました。
【図面の簡単な説明】
【０００７】
【図１】エコ洗濯機の断面図の一例
【符号の説明】
【０００８】１．エコ洗濯機  ２．エコモーター  ３．共転軸封部材  ４．ファン  ５．開口部  ６．ネット  ７．洗濯液  ８．ハウジング  ９．電線  １０．給水ホース  １１．排水口  １２．排水レース  １３．回転軸
【図１】
2006223830.tif 000003
(57)【要約】【課題】家庭の手料理で、包丁使用時に硬くて切りにくいものを、苦にせず安全に切り刻める、押し切り包丁を提供する。【解決手段】包丁の先端に丸孔を設け、まな板に固定金具を設け、テコの原理応用に加えて、まな板の磨耗キズ面の問題を解決するため、自由に角度の移動出来る円盤状の回転まな板を、まな板台座で組み合わせたものに、ボルトで安全に取り付けたことを特徴とする押し切り包丁。【選択図】図１
2006223822.tif 000002
【特許請求の範囲】
【請求項１】
まな板台座に、円盤状のまな板を組み合わせるように設け、包丁の先端に丸孔を設け、まな板台座の固定金具にボルト、ナット締めで取り付けた特徴のある家庭の料理用の、押し切り包丁。
【発明の詳細な説明】
【技術分野】
【０００１】  本発明は、家庭の料理で包丁を使う時、切りにくい硬質野菜のカボチャ、さつまいも、玉ねぎ、などの硬いものも容易に切れる、押し切り包丁に関するものである。
【背景技術】
【０００２】  従来、カボチャ、さつまいも、玉ねぎ、など硬いものを包丁で切る時は危険であり、主婦は苦労していた。
そのため料理を避けたり、電子レンジで加熱の手間をかけ、包丁切れの良い状態にして切り刻んでいる主婦もいた。特にカボチャの丸物、生魚のブツ切りなどは苦痛でありそのため、割高でも刻んで冷凍パックされたものを求めていた。
【発明の開示】
【発明が解決しようとする課題】
【０００３】  そのため、次の問題点があった。
包丁は便利であるが、大変危険なもので、包丁使いにも技術的な上手下手もあり、恐怖症で包丁を嫌い、料理嫌いの若い主婦が多くなった一因でもあった。
硬いものを切るのに手を痛めることもあった。
本発明は、以上の問題を解決しようとするものである。
【課題を解決しようとする手段】
【０００４】  まな板台座に、包丁を安全に固定する金具とボルトで取り付け、押し切り出来るようにする。金具で取り付けた包丁は、テコの原理応用で硬いものも軽々と切れ、横すべりの危険もない。
包丁が、まな板台座にセットされているので、刃物の恐怖症が和らぐ文化的な安心具。
以上を特徴とする、家庭料理用に便利な、押し切り包丁である。
【発明の効果】
【０００５】  本発明は、硬質の野菜に限らず、切りにくい果物パイナップルの一本丸物、大きなリンゴも、生魚のブツ切りにも出刃包丁がなくとも押し切り出来るので、若い主婦に喜ばれるだけでなく、手が不自由の方、力の衰えを感ずる老婦人にも、テコの応用で楽々と切れるので、使い道使い方色々であり、形もコンパクトで保管に困らず、色形も危険で物騒な刃物を連想させないので、何時も流し台の中に仕舞い隠さずも違和感のないデザインで頼もしい調理具で料理の楽しさを増す。
【発明を実施するための最良の形態】
【０００６】  以下、本発明の実施の形態を説明する。
（イ）押し切り包丁（１）を先端部に丸孔を明け、まな板台座（５）の前部に設けた、固定金具（７）に、平頭ボルト、ナット（８）でしめ取り付ける。
（ロ）まな板台座（５）の中央部に円盤状で回転する、３６０度回転まな板（６）をはめ込むくぼみに合わせ、ボルト（１２）を指締め大形ナット（１１）で締めつける。
（ハ）３６０度回転まな板（６）はクリーム色、まな板台座（５）は淡いグリーン色で二色のセットで斬新的なデザインと衛生的を考える。
（ニ）そのため（６）と（５）は共にプラスチック系樹脂加工で、精度と強度のあるもので設ける。
（ホ）刃物である押し切り包丁（１）の材質は、ステンレス鋼で、柄（２）はプラスチックで成形し、（１）と（２）はねじボルト（３）で止める。
（ヘ）押し切り包丁（１）の側面にはデザイン美を目的に、菱形孔（４）を設ける。
（ト）まな板台座（５）の裏面に安定安全のための、吸盤形ゴム脚（１０）をネジ止めで４角に設ける。
本発明は以上の構成からなっている。
本発明を使用する時は、切りたいものを、中央の３６０度回転まな板（６）に乗せ、押し切り包丁（１）の柄（２）をにぎり、切りたいものを一方の手で押えて静かに押し下げて切る。
使用回数によるが、３６０度回転まな板（６）の表面が摩耗して、切れ味に、影響するように成ったら、裏面で止めてある。指締め大形ナット（１１）をゆるめて、円盤の角度を少し変えて、キズのない面で使うことにより、かなり長い使用が出る。包丁と同じように、押し切り包丁も研ぎ直しが出来るので従来と同じように研いで長年使用出来る。
【図面の簡単な説明】
【０００７】
【図１】  本発明の斜視図
【図２】  本発明の側面図
【図３】  本発明の平面図
【図４】  本発明の分離断面図
【図５】  本発明の分離断面図
【図６】  本発明の金具部品の斜視図
【図７】  本発明の金具部品の斜視図
【図８】  本発明の金具部品の斜視図
【符号の説明】
【０００８】１    押し切り包丁
２    柄
３    ねじボルト
４    菱形孔
５    まな板台座
６    ３６０度回転まな板
７    固定金具
８    平頭ボルト、ナット
９    丸孔
１０  吸盤形ゴム脚
１１  指締め大形ナット
１２  ボルト
１３  ねじ穴
１４  凹凸溝
【図１】
2006223822.tif 000003
【図２】
2006223822.tif 000004
【図３】
2006223822.tif 000005
【図４】
2006223822.tif 000006
【図５】
2006223822.tif 000007
【図６】
2006223822.tif 000008
【図７】
2006223822.tif 000009
【図８】
2006223822.tif 000010
(57)【要約】【課題】常時携帯している財布カード収納部２から近接によりカード暗証番号を暗証読取機から防止するためにカード収納部２両面絶縁パック加工財布を提供する。【解決手段】財布本体１にカード収納部２両面にパック加工した絶縁紙３を縫い付けカードを不導体によりカード暗証読取機からカードを安全に保護する事が出来る。【選択図】図３
2006223821.tif 000002
【特許請求の範囲】
【請求項１】
カード収納付財布
【請求項２】
カード収納付鞄
【請求項３】
カード収納部が設けてある、携帯類。
【発明の詳細な説明】
【技術分野】
【０００１】本発明は、財布にカード収納部内側に湿気が入らない様、絶緑紙をパックした物を皮下部に固定し、カード不正読取機から、不正アクセス防止をするものである。
【背景技術】
【０００２】従来は、カードを暗証読取機から防止出来る財布はなかった。【０００３】
【特許文献１】特開２００１−３４８９８号公報（第１頁）
【発明の開示】
【発明が解決しようとする課題】
【０００４】
2006223821.tif 000003
れたものである。
【課題を解決するための手段】
【０００５】
2006223821.tif 000004
すく携帯時にも気にならない様にした。
【発明の効果】
【０００６】財布カード収納部２両面に（厚さ０．２〜０．３ｍｍ）絶縁紙３をパック加工した物を財布に縫い付けた事により外部からのカード暗証番号読取機から未然に防止出来る。
【実施例１】
【０００７】
【図面の簡単な説明】
【０００８】
【図１】本発明の正面図である。
【図３】本発明のカード収納部と絶縁紙パック断面図である。
【符号の説明の】
【０００９】１カード防止の財布本体
２カード収納部
３絶縁紙
４布
【図１】
2006223821.tif 000005
【図３】
2006223821.tif 000006
【図４】
2006223821.tif 000007
【手続補正書】
【提出日】平成17年5月25日(2005.5.25)
【手続補正２】
【補正対象書類名】明細書
【補正対象項目名】０００８
【補正方法】変更
【補正の内容】
【０００８】
【図１】「立面図」折たたみサイフを開いた状態  カード及びその他など差し込みポヶツトなどが設けられている
【図２】「平面図断面拡大図」サイフの差し込みのポケットに絶縁紙を差し込んだ状態の断面図である
【図３】「全図」立体図から従来の原型的カード入れサイフ〔図１〕「立面図」〔図２〕「平面図断面拡大図」
【手続補正３】
【補正対象書類名】図面
【補正対象項目名】全図
【補正方法】変更
【補正の内容】
【図１】
2006223821.tif 000008
【図２】
2006223821.tif 000009
【図３】
2006223821.tif 000010
(57)【要約】【課題】  従来のローラポンプ駆動装置においては、ローラポンプのローラを逆転できない欠点があった。【解決手段】  本発明のローラポンプ駆動装置は、ローラポンプ駆動軸とその駆動出力軸間に上記駆動出力軸から上記ローラポンプ駆動軸に動力を伝達する一方向クラッチを介挿したことを特徴とする。【選択図】  図１
2006223510.tif 000002
【特許請求の範囲】
【請求項１】
ローラポンプ駆動軸とその駆動出力軸間に上記駆動出力軸から上記ローラポンプ駆動軸に動力を伝達する一方向クラッチを介挿したことを特徴とするローラポンプ駆動装置。
【発明の詳細な説明】
【技術分野】
【０００１】
本発明は血液ポンプ等のローラポンプ駆動装置、特に、手動によりローラポンプの出力軸を逆転可能ならしめたローラポンプ駆動装置に関するものである。
【背景技術】
【０００２】
図２に示すように半円弧状に湾曲した送液用弾性チューブ１の内側円弧面をこの円弧面に沿って移動するローラ２によって順次に押し潰すことによって上記チューブ１を介して液体を送り出すようにした血液ポンプ等のローラポンプ３は既知である（特許文献１）。
【特許文献１】実開昭６１−１８７９８８号公報
【０００３】
図３はこのような従来のローラポンプの駆動装置４を示し、５はローラ駆動軸、６はこの駆動軸５に固定した駆動ギヤ、７は駆動装置４の出力軸、８はこの出力軸７に噛合した中間歯車、９はこの中間歯車８に固定した中間軸であって、この中間軸９は上記ローラ駆動軸５に噛合して駆動装置４の回転をローラポンプ３に伝達するように構成されている。
【０００４】
このような従来のローラポンプ駆動装置においては駆動装置４の誤動作によってローラポンプ３が逆転することを完全に阻止する必要があり、そのため駆動装置４の出力軸７と固定ケーシング１０間に出力軸７からローラポンプ３に正方向回転を伝達する一方向クラッチ１１を設け、正方向の回転方向ではその回転が阻止されることはないが、逆方向に回転するときはこの回転が上記一方向クラッチ１１を介して固定ケーシング１０によって完全に阻止され、ローラポンプ３が逆転しないようにされている。
【発明の開示】
【発明が解決しようとする課題】
【０００５】
然しながら上記従来のローラポンプ駆動装置においてはローラポンプ３に対する送液用弾性チューブ１の脱着時や、チューブ噛み込み時に際しては手動でローラ２を正方向及び逆方向の何れの方向にも回動せしめ得ることが望ましい。然しながらローラポンプ３の駆動軸５、従って駆動装置４の出力軸７は上記のように固定ケーシング１０に固定された一方向クラッチ１１によって完全逆転できないため送液用弾性チューブ１の脱着時や噛み込み時の操作性が極めて悪い欠点があった。
【０００６】
本発明は上記の欠点を除くようにしたものである。
【課題を解決するための手段】
【０００７】
本発明のローラポンプ駆動装置は、ローラポンプ駆動軸とその駆動出力軸間に上記駆動出力軸から上記ローラポンプ駆動軸に動力を伝達する一方向クラッチを介挿したことを特徴とする。
【発明の効果】
【０００８】
本発明のローラポンプ駆動装置によれば、手動でローラポンプ３を何れの方向にも回転できるため送液用弾性チューブ１の脱着時や噛み込み時の操作性が大きく向上される。
【発明を実施するための最良の形態】
【０００９】
以下図面によって本発明の実施例を説明する。
【実施例１】
【００１０】
本発明においては図１に示すように駆動装置４の出力軸７と固定ケーシング１０との間に一方向クラッチ１１を設ける代わりに、ローラ駆動軸５と駆動ギヤ６間に駆動装置４の正方向の回転のみを伝達する一方向クラッチ１２を介挿せしめる。
【００１１】
本発明のローラポンプ駆動装置は上記のような構成であるから、駆動装置４の正回転は一方向クラッチ１２を介してローラポンプ３に伝達されるが、駆動装置４の逆方向回転は一方向クラッチ１２をフリーとする方向となるためローラポンプ３に伝達されることはない。
【００１２】
然しながら、一方向クラッチ１２は固定ケーシング１０に固定されているものではなく、駆動ギヤ６に固定されているものであるため送液用弾性チューブ１の脱着時、必要に応じてローラ２を手で回転せしめればローラ駆動軸５の回転方向が一方向クラッチ１２をフリーとする方向の場合はスムーズに、これと逆の方向では駆動ギヤ６と共に抵抗はあるが同じく回転せしめることが可能となり、従来の欠点を一掃できるようになる。
【図面の簡単な説明】
【００１３】
【図１】本発明のローラポンプ駆動装置の断面図である。
【図２】従来のローラポンプの側面図である。
【図３】従来のローラポンプ駆動装置の断面図である。
【符号の説明】
【００１４】
１  送液用弾性チューブ
２  ローラ
３  ローラポンプ
４  駆動装置
５  ローラ駆動軸
６  駆動ギヤ
７  出力軸
８  中間歯車
９  中間軸
１０  固定ケーシング
１１  一方向クラッチ
１２  一方向クラッチ
【図１】
2006223510.tif 000003
【図２】
2006223510.tif 000004
【図３】
2006223510.tif 000005
(57)【要約】 【課題】製紙汚泥の発酵処理において、発酵処理時間を短縮する新規な方法を提供する。【解決手段】水分を８５〜６０％に脱水処理した製紙汚泥を、底方からの空気供給が可能で、且つ所定の断熱構造を備えた密閉型発酵容器内に収納し、容器底方からの大量の空気供給を行う共に、容器上方から強制排気を行い、汚泥を好気発酵させてなる。【選択図】  図１
2006223977.tif 000002
【特許請求の範囲】
【請求項１】
水分を８５〜６０％に脱水処理した製紙汚泥を、底方からの空気供給が可能で、且つ所定の断熱構造を備えた密閉型発酵容器内に収納し、容器底方からの大量の空気供給を行うと共に、容器上方から強制排気を行い、好気発酵させてなることを特徴とする製紙汚泥の発酵処理方法。
【請求項２】
供給空気を押す送風機の能力以上の吸引機を以って強制排気を行い、密閉型発酵容器内を負圧状態として好気発酵処理を行ってなる請求項１記載の製紙汚泥の発酵処理方法。
【請求項３】
容器内に収納した処理対象物に保温用の中蓋を被せてなる請求項１又は２記載の製紙汚泥の発酵処理方法。
【請求項４】
請求項１乃至３記載の発酵処理方法で製出された発酵処理済み物を、そのまま或いは粉砕・微細化した紙類、木材、無機物等を加え、所望の形状に加圧成形乾燥して固形化したことを特徴とする発酵処理物利用品。
【発明の詳細な説明】
【技術分野】
【０００１】
本発明は、製紙汚泥発酵処理方法及びその発酵処理物利用品に関するものである。
【背景技術】
【０００２】
製紙汚泥（パルプスラッジ等）は、乾燥焼却処理が一般的であるが、乾燥焼却処理は処理コストが高く、また再利用できる資源を無駄にするとの観点から、従前より発酵処理することが提案されている。
【０００３】
特許文献１（特公昭５７−３５１５３号公報）には、パルプスラッジに２０％程度の活性余剰汚泥を加え、水分を７５％以下（実施例６８％）に調製し、１５日程度の好気発酵（一次発酵）を行い、更に２０日以上の堆積静置による二次発酵を行ってコンポスト化を実現する手段が開示されている。
【０００４】
また特許文献２（特開昭５６−１０５７９９号公報）には、製紙スラッジを固形分濃度２０〜４０％（水分８０〜６０％）に脱水調整し、野積み堆肥方法を採用すると共に、野積み箇所の下方から空気吸引を行って好気発酵を促進させる処理方法が開示されている。
【０００５】
【特許文献１】特公昭５７−３５１５３号公報。
【特許文献２】特開昭５６−１０５７９９号公報。
【発明の開示】
【発明が解決しようとする課題】
【０００６】
前記の製紙汚泥の処理においては、特許文献１記載の手段は、他の余剰活性汚泥を必要とし、発生場所の異なる廃棄物を集めるという煩雑さを備え、また一次発酵に２週間程度を要する。特許文献２記載の手段においても同様に一次発酵に２週間程度を要し、また吸引装置を構築している所定の固体設備を必要とする。
【０００７】
そこで本発明は、何れの場所でも構築が容易である発酵装置を採用して、発酵時間を短縮した新規な製紙汚泥の処理方法及びその発酵処理物の利用品を提案したものである。
【課題を解決するための手段】
【０００８】
本発明に係る製紙汚泥の発酵処理方法は、水分を８５〜６０％に脱水処理した製紙汚泥を、底方からの空気供給が可能で、且つ所定の断熱構造を備えた密閉型発酵容器内に収納し、容器底方からの大量の空気供給を行うと共に、容器上方から強制排気を行い、混合物を好気発酵させてなることを特徴とするものである。
【０００９】
即ち発酵対象物である製紙汚泥を収納した密閉容器内へ空気供給並びに強制排気を行うことによって、微小ファイバーを多量に含んでいる製紙汚泥全体が、強制的に空気と接触させられることになり、短時間（７〜８日）で発酵を終了することになる。
【００１０】
また本発明にかかる発酵処理物利用品は、前記発酵方法で処理された処理物を、所望形状に加圧成形乾燥して固形化したことを特徴とするものである。
【００１１】
従って前記の発酵処理物利用品は、肥料、土壌改良材、路盤材などして使用できるものである。
【発明の効果】
【００１２】
本発明の構成は上記のとおりであり、製紙汚泥の密閉容器における強制給排気によって従前の発酵処理手段に比較して発酵処理時間を短縮でき、効率的な処理を実現し、しかも発酵装置は、発酵用容器と給排気ブロアーの組み合わせで、何所にでも容易に設置できるものである。
【発明を実施するための最良の形態】
【００１３】
次に本発明の発酵処理方法の実施形態について説明する。発酵処理に使用する発酵装置は、図１に例示するとおり、適宜な断熱構造（例えば木製やコンクリート製のような、内部の熱が外気に放出され難い構造であれば充分である趣旨）の密閉形式の発酵槽１と、発酵槽１内に配置する中蓋体２と、発酵槽１に被冠する密閉蓋体３を備えてなり、発酵槽１の内部には、通気口を多数穿設した二重底となる内底部４を設け、内底部４の下方空間に、送風ブロワー５を接続し、蓋体３に排気口並びに排気口に接続した排気ブロワー６を付設し、排気ブロワー６に脱臭部７を接続してなる。
【００１４】
発酵処理は、前記発酵装置の発酵槽１に脱水処理した製紙汚泥（通常は水分含有率６２〜６７％であるが、脱水設備によって高含水率のものも存在し、法的規制としては施設外搬出には水分８５％以下とすることが定められている）を収納し、強制給排気を行うものであるが、発酵槽１を幅１．２ｍ、奥行き１．７ｍ、高さ１．３５ｍの１トン型とすると、送風ブロワー５で、発酵槽１に毎分１６０Ｌの常温空気を送り込み、更に排気ブロワーを毎分１８０Ｌの定格出力をもって強制排気を行って発酵槽１内を負圧状態として発酵処理を行う。
【００１５】
前記の給排気を連続し、製紙汚泥の発酵状態を確認するために、発酵槽１の底面から１５ｃｍ、４５ｃｍ、７５ｃｍの位置に温度センサー８を配置し、その測定結果が図２の表のとおりである。
【００１６】
測定結果から温度の下降が始まる７日目頃で一次発酵が終了するものと認められる。なお中蓋体２は、水分蒸発による処理対象物の減容に対して処理対象物の保温効果と、処理対象物の減容によって生ずる発酵槽１内部の上方空間における結露から処理対象物を保護する効果を有する。
【００１７】
発酵終了物は水分５７．８％（発酵前に６９．２％）となり、そのまま或は粉砕・微細化した紙類、木材、無機物等を加え、所望の形状に加圧成形を行い、土壌改良材や路盤財として使用するものである。勿論肥料として使用することもできる。
【００１８】
また更に前記発酵終了物を乾燥させ、製紙汚泥に添加して、本発明の発酵処理対象物に適応する水分調整材として使用するようにしても良い。
【図面の簡単な説明】
【００１９】
【図１】本発明方法の実施装置の説明図。
【図２】同製紙汚泥の発酵状態を示す温度経過表。
【符号の説明】
【００２０】
１          発酵槽
２          中蓋体
３          密閉蓋体
４          内底部
５          送風ブロワー
６          排気ブロワー
７          脱臭部
８          温度センサー
【図１】
2006223977.tif 000003
【図２】
2006223977.tif 000004
(57)【要約】【課題】  清澄濾過機の濾過部材として、従来の濾紙に替えて金属製の金網を採用し、かつ容易に全体が洗浄できる濾過部材を提供する。【解決手段】  中央部に濾板の原液供給口に連通する円形孔５を有し、隣接する濾板の間に挟まれる円盤状の濾過部材１であって、濾過膜２が、８０メッシュ〜１８０メッシュの金属製金網で形成され、濾過膜２の外周縁６が樹脂製のリング状外枠３に接合され、円形孔５の内周縁７が樹脂製のリング状内枠４に接合されていること。【選択図】      図１
2006223933.tif 000002
【特許請求の範囲】
【請求項１】
中央部に濾板の原液供給口に連通する円形孔を有し、隣接する前記濾板の間に挟まれる円盤状の濾過部材であって、
濾過膜が、８０メッシュ〜１８０メッシュの金属製金網で形成され、
前記濾過膜の外周縁が樹脂製のリング状外枠に接合され、前記円形孔の内周縁が樹脂製のリング状内枠に接合されていることを特徴とするセンターフィード型濾過機の濾過部材。
【請求項２】
前記リング状外枠の内周部に前記濾過膜の外周縁を係合する切欠き段部が設けられ、
前記リング状内枠の外周部に前記円形孔の内周縁を係合する切欠き段部が設けられ、
前記両切欠き段部を介して、前記濾過膜の外周縁が前記リング状外枠に接合されると共に、前記円形孔の内周縁が前記リング状内枠に接合され、前記濾過膜が前記リング状外枠及びリング状内枠の厚みの内側に配設されている請求項１記載のセンターフィード型濾過機の濾過部材。
【請求項３】
前記濾過膜が、ステンレス鋼製の金網で形成されている請求項１又は２記載のセンターフィード型濾過機の濾過部材。
【請求項４】
前記リング状外枠及びリング状内枠が、フッ素樹脂で成形されている請求項１，２又は３記載のセンターフィード型濾過機の濾過部材。
【発明の詳細な説明】
【技術分野】
【０００１】
本発明は、センターフィード型濾過機に使用される濾過部材に関し、特に清澄濾過に適した濾過部材に関するものである。
【背景技術】
【０００２】
従来、センターフィード型清澄濾過機の濾過部材としては、例えば特許文献１に記載されているように、厚手（厚み約３ミリ）の濾紙と薄手の濾紙とを重ねて使用されている。
【０００３】
しかし、上記従来の濾紙は使い捨てのため、コスト高につくばかりでなく、濾紙に付着した残滓などが環境汚染の原因になるおそれがあって、廃棄処分に困難を来たしている状況である。
【特許文献１】実公昭５３−５１４９８号公報
【発明の開示】
【発明が解決しようとする課題】
【０００４】
本発明は、上記事情に鑑みてなされたもので、清澄濾過機の濾過部材として、従来の濾紙に代えて金属製の金網を採用し、かつ容易に全体が洗浄できる濾過部材を提供することを目的とする。
【課題を解決するための手段】
【０００５】
上記目的を達成するために、本発明は、中央部に濾板の原液供給口に連通する円形孔を有し、隣接する前記濾板の間に挟まれる円盤状の濾過部材であって、濾過膜が、８０メッシュ〜１８０メッシュの金属製金網で形成され、前記濾過膜の外周縁が樹脂製のリング状外枠に接合され、前記円形孔の内周縁が樹脂製のリング状内枠に接合されいていることを特徴とするセンターフィード型濾過機の濾過部材である。
【０００６】
前記金属濾過膜は、前記リング状外枠及びリング状内枠の厚みの内側に配設されていることが好ましい。
【０００７】
前記濾過膜は、ステンレス鋼製の金網で形成されていることが好ましい。また、前記リング状外枠及びリング状内枠は、耐食性、耐摩耗性のすぐれたプラスチック材料、例えばフッ素樹脂で成形される。
【発明の効果】
【０００８】
本発明の濾過部材は、濾過膜がステンレス鋼などの金網により形成され、該濾過膜の外周縁がリング状外枠で支持され、中央部に設けられる円形孔の内周縁がリング状内枠で支持されているので、濾過機の濾板間に挟み付けて使用する際、取付け取外しが容易、かつ迅速に行なえる。また、濾過部材は全体を容易に洗浄して繰り返し使用することができるので、経済性、耐久性の点ですぐれている。
【発明を実施するための最良の形態】
【０００９】
以下、本発明の実施の形態を図面に基づいて説明する。
【００１０】
図１は、本発明に係る濾過部材を示しており、該濾過部材１は、濾過膜２と、該濾過膜２を保持するリング状外枠３及びリング状内枠４とで構成されている。
【００１１】
濾過膜２は、ステンレス鋼製の目の細い金網により形成されていて、中央部に図示しない濾板の原液供給口に連通する円形孔５が設けられ、外周縁６が円形の円盤状に形成されている。該濾過膜２の目の粗さは、濾過する原液に対応して８０メッシュ〜１８０メッシュの範囲で選定される。
【００１２】
リング状外枠３とリング状内枠４は、耐食性、耐摩耗性のすぐれたフッ素樹脂により成形されていて、リング状外枠３は濾過膜２の外周縁６に沿う円形に形成され、リング状内枠４は円形孔５の内周縁７に沿う円形に形成されている。
【００１３】
リング状外枠３の内周部には、濾過膜２の外周縁６が係合する切欠き段部１３が設けられ、リング状内枠４の外周部には、円形孔５の内周縁７が係合する切欠き段部１４が設けられている。そして、図２に示すように、濾過膜２は、その外周縁６を切欠き段部１３に係合して接合（熱圧着）すると共に、円形孔５の内周縁７を切欠き段部１４に係合して接合（熱圧着）することによって、リング状外枠３とリング状内枠４の厚みＴの内側に配設して組み付けられ、濾過部材１が完成する。
【００１４】
上記構造の濾過部材１は、センターフィード型濾過機の隣接する濾板の間に挟み付けて使用するが、リング状外枠３を濾板で挟持固定すると、リング状内枠４が濾板の原液供給口に自動的に位置決めされるので、取付け取外しが容易に行なえる。また、該濾過部材１は、従来の厚手濾紙に代わるものであり、濾過する原液によっては、濾過部材１と薄手の濾紙を組み合わせて使用することもある。
【図面の簡単な説明】
【００１５】
【図１】本発明に係る濾過部材の正面図である。
【図２】図１の２−２線に沿う断面拡大図である。
【符号の説明】
【００１６】
１  濾過部材
２  濾過膜
３  リング状外枠
４  リング状内枠
５  円形孔
６  濾過膜の外周縁
７  円形孔５の内周縁
１３，１４  切欠き段部
【図１】
2006223933.tif 000003
【図２】
2006223933.tif 000004
(57)【要約】【課題】ゴルフのスイングや、歩行、走行など体を動かしている状態では、自分の姿勢や状態を、その場で自分では確認することはできない。【解決手段】簡単に脱着できるレーザー光を発する器具を衣服又は身体装備品等に取り付け、容易に自分の姿勢を確認して、調整することができる姿勢調整用器具を考案した。【選択図】図１
2006223443.tif 000002
【特許請求の範囲】
【請求項１】
携帯できるレーザー光を発する器具と取り付け具から構成され、簡単に他の部分と脱着ができることを特徴とする姿勢調整用器具。
【請求項２】
帽子のつばの部分や肩、肘などの衣服又は身体装備品等にレーザー光を発する器具を取り付けて、自分の前方やその足下の地面にガイドになる光線を照らすことにより、足元にあるゴルフボールとスタンスの位置を調整することができ、容易に自分の姿勢を確認してボールをヒットすることができる。また、直線歩行や走行をする場合でも、容易に自分の姿勢や歩幅などを確認して、調整することができることを特徴とする請求項１記載の姿勢調整用器具。
【請求項３】
レーザー光は、目的により、種々のガイドラインを描くことができ、自分の前方や足下にガイドになる光線で照らすことにより、直線歩行や走行を容易に自分の姿勢を確認して、調整することができることを特徴とする請求項１記載の姿勢調整用器具。
【発明の詳細な説明】
【技術分野】
【０００１】
この発明は、携帯できるレーザー光を発する器具と取り付け具から構成されることを特徴とする簡単に取り外しできる姿勢調整用器具に関する。
【背景技術】
【０００２】
従来、ゴルフのスイングや、歩行、走行など体を動かしている状態では、自分の姿勢や状態を、その場で自分では確認することはできない。そこで、他人に見てもらい、助言を受けるか、横に大きな鏡を置き、観るか、ビデオに録画する方法がある。
【発明の開示】
【発明が解決しようとする課題】
【０００３】
他人に見てもらい、助言を受ける方法は、他人の手を煩わせるうえに、的確な助言を得られるかどうか分からない。また、鏡で観る方法や、ビデオに録画する方法は、手軽にできることではない。
【０００４】
そこで、この発明は、レーザー光を発する器具を衣服又は身体装備品等に簡単に取り付け、容易に自分の姿勢を確認して、調整することができる姿勢調整用器具を提供する。
【課題を解決するための手段】
【０００５】
以上の課題を解決するために、本発明は、携帯できるレーザー光を発する器具と取り付け具から構成され、簡単に取り外しができることを特徴とする姿勢調整用器具を考案した。
【０００６】
さらに、詳しくは、以下、順に説明する。
本姿勢調整用器具は、レーザー発光部、電池部、スイッチ、取り付けクリップ部からなる。大きさは、例えば、長さ６ｃｍ、幅２ｃｍ、高さ２ｃｍ程度で、携帯でき、重さは、帽子のつばに取り付けても、運動に障害が無い程度の重さ２０ｇ〜４０ｇ程度が好ましい。
【０００７】
レーザー半導体レーザーダイオードは、通常、事務用品として市販されているレーザーポインターと同一の性能であれば、十分、利用できる。通常、波長６３０−６８０ｎｍ付近の赤色光を用いるが、限定されるものではない。レーザー発光部は、本体との接続部は角度が調節できるように可変になっている。
【０００８】
電池部は、通常、１．５Ｖから６Ｖ程度の電圧のある乾電池を使用する。最大出力１から３．５ｍＷ程度が好ましい。軽量化には、ボタン電池が好ましい。
【０００９】
取り付けクリップ部は、簡単にこの器具と帽子のつばなど身体装備品等にしっかり固定され、また、取り外しできるようにされたものであればよい。
【００１０】
この器具と帽子のつばなどの部分にクリップで取り付ける。先にあるレーザー半導体レーザーダイオードを足元に向け、スイッチを入れると、その足下の地面にガイドになる光線が照らし出される。
【００１１】
照らされた光線は、レンズやスリットなどで目的により、種々のガイドラインを描くことができる。たとえば、ゴルフの場合では、ゴルフボールの径に合わせた幅で、二の字型の平行線を自分と平行に描くことで、パットの姿勢の調整をすることができ、自分に直角の直線を描くことで、ボールとスタンスの取る位置を調整することができる。
【００１２】
また、歩行では、ガイドラインを自分に直角の直線を描くことで、床面に書かれた線と合わすように歩くことにより、歩行姿勢を調整することができる。また、走行では、前方に歩幅に合わせた二本線のガイドラインを描くことにより、走行状態を調整することができる。
【００１３】
以上の例に限らず、非接触での距離感や位置の確認をする時に利用することができる。
【００１４】
光源部の先のレンズやスリットだけを交換することにより、種々のガイドラインを描くこともできる。
【発明の効果】
【００１５】
こうして、携帯できるので、屋内外を問わず、どこででも、使用することができ、簡単に自分の姿勢を調整することが出来るようになる。
【発明を実施するための最良の形態】
【００１６】
以下、この発明の実施形態の１例を、図１から図２に基づいて詳細に説明する。図１に示すように、ゴルフ帽子（１）のつばの部分（２）に本姿勢調整用器具（３）をクリップ（４）などで取り付ける。
【００１７】
本姿勢調整用器具（３）のスイッチ（５）を入れ、レーザー発光部（６）の角度を調節し、地面の標的部分にむける。図中の破線矢印はレーザー光線の方向を示す。
【００１８】
図２は、本姿勢調整用器具（３）の構成、構造を示す。クリップ（４）、スイッチ（５）、電池部（７）、角度調整部（８）、レンズ（９）、スリット（１０）、キャップ（１１）、バネ（１２）などから構成される。
【図面の簡単な説明】
【００１９】
【図１】帽子に取り付けた状態の模式図である。
【図２】本姿勢調整用器具の構成の模式図である。
【符号の説明】
【００２０】
帽子（１）、帽子のつば（２）、姿勢調整用器具（３）、クリップ（４）、スイッチ（５）、レーザー発光部（半導体レーザーダイオード）（６）、乾電池（７）、角度調節部（８）、レンズ（９）、スリット（１０）、キャップ（１１）、バネ（１２）
【図１】
2006223443.tif 000003
【図２】
2006223443.tif 000004
(57)【要約】【課題】ハンガーに掛けた洗濯物をそのまま物干し竿に吊るすと、風が吹くことによってハンガーが滑り、物干し竿の一部に重なり合うように集まり、洗濯物が乾きにくくなっていた。特に風の強い日には重なり合った洗濯物を取り入れることにも苦労があった。【解決手段】この物干し竿へのハンガー滑り止め装着用具およびハンガー滑り止めつき物干し竿によって、洗濯ものを吊るしたハンガーを滑りにくくし、洗濯物を乾きやすくする。すべり止めは例えば、複数設けられた四角柱状の突起２である。【選択図】図１
2006223437.tif 000002
【特許請求の範囲】
【請求項１】
物干し竿にかけた洗濯用ハンガーが滑らないように、複数の突起によるすべり止めを設けたことを特徴とする、物干し竿へのハンガー滑り止め装着用具。
【請求項２】
前記すべり止めは、複数設けられた四角柱状の突起であることを特徴とする請求項１記載の物干し竿へのハンガー滑り止め装着用具。
【請求項３】
洗濯用ハンガーが滑らないように、複数の突起によるすべり止めを設けたことを特徴とする物干し竿。
【発明の詳細な説明】
【技術分野】
【０００１】
この発明は、洗濯等に用いる物干し竿およびその装着用具の形状に関するものである。
【背景技術】
【０００２】
従来の洗濯等に用いる物干し竿の場合、竿の形状は、図２に示すように、単なる竿状のものである。
【発明の開示】
【発明が解決しようとする課題】
【０００３】
従来の洗濯等に用いる物干し竿の場合、洗濯等に使用したハンガーが滑りやすく、特に風が吹いた場合は、ハンガーが一方に集まり、洗濯物が重なり合うなどして乾きにくかった。
そこで、この発明は、洗濯等に使用したハンガーを滑りにくくすることにより、洗濯物が重ならず、乾きやすくなる物干し竿を提供することを課題とする。
【課題を解決するための手段】
【０００４】
以上の課題を解決するために、第一発明は、物干し竿へハンガー滑り止めを施すことで洗濯等に使用したハンガー等がすべりにくくすることを特徴とする物干し竿へのハンガー滑り止め装着用具である。
第二発明は、装着用具にすべり止めを設け、このすべり止めは複数設けられた四角柱の突起であることを特徴とする物干し竿へのハンガー滑り止め装着用具である。
また、第三発明は物干し竿そのものに洗濯用ハンガー滑り止めを施した物干し竿である。
【発明の効果】
【０００５】
第一発明、または第二発明によれば、従来の物干し竿へこの装着用具を装着することにより洗濯等に使用したハンガー等がすべりにくくなる四角柱の形状のすべり止めを設けたので、洗濯等に使用したハンガー等が滑りにくい。第三発明によれば洗濯用物干し竿そのものにハンガー等がすべりにくくなる四角柱の形状のすべり止めを設けてあり、洗濯等に使用したハンガー等が滑りにくく一箇所に片寄らない。
【発明を実施するための最良の形態】
【０００６】
この発明の一実施形態を、図１に示す。
ハンガー滑り止め装着用具はゴム製であり、このすべり止めは複数設けられた四角柱の突起である。ただし、材料は塩化ビニール製やプラスチック製等も可能である。
【０００７】
「実施形態の効果」
この実施形態によれば、複数設けられた四角柱の突起の滑り止めにより、風が吹いても洗濯物等を干したハンガーが滑りにくい。したがって、洗濯物が乾きやすい。また多数の突起が出ていることで洗濯物等を干す間隔が自由に設定できる。
【０００８】
「他の実施形態」
図１の実施形態では、すべり止めは複数の四角柱状の突起であったが、他の実施形態では、円柱状の突起を複数設けたものでも良い。ゴム製等の場合は摩擦により物干し竿に装着しやすいが一層固定させるためには両端を洗濯ばさみでとめたり、紐等でくくることも可能である。
【図面の簡単な説明】
【０００９】
【図１】この発明の一実施形態を示す斜視図である。
【図２】従来技術を示す斜視図である。
【符号の説明】
【００１０】
１  物干し竿      ２  ハンガー滑り止め装着用具      ３  ハンガー滑り止めつき物干し竿
【図１】
2006223437.tif 000003
【図２】
2006223437.tif 000004
(57)【要約】【課題】目視によることなく、水受けタンクの設定水位を検知することの可能な洗髪洗面化粧台の構造を提供する。【解決手段】洗面キャビネット２の内部に水受けタンク１を配置し、シャワーヘッド５に湯水を供給するシャワーホース４が上記水受けタンク１の中を通って上記シャワーヘッド５に接続される洗髪洗面化粧台であって、上記シャワーヘッド５からシャワーホース４を伝わって流下する水が上記水受けタンク１に案内され溜められるとともに、上記水受けタンク１の内部には貯留水の水位検知センサ１１が設けられ、この水位検知センサ１１が貯留水の設定水位到達を検知すると作動する警告手段を備えた洗髪洗面化粧台の構造。【選択図】図１
2006223347.tif 000002
【特許請求の範囲】
【請求項１】
洗面キャビネットの内部に水受けタンクを配置し、シャワーヘッドに湯水を供給するシャワーホースが上記水受けタンクの中を通り抜け、上記シャワーヘッドに接続される洗髪洗面化粧台であって、上記シャワーヘッドからシャワーホースを伝わって流下する水が上記水受けタンクに案内され溜められるとともに、上記水受けタンクの内部には貯留水の水位検知センサが設けられ、この水位検知センサが貯留水の設定水位到達を検知すると作動する警告手段を備えた洗髪洗面化粧台の構造。
【請求項２】
上記警告手段がミラーキャビネットに配設された警告ランプである請求項１に記載の洗髪洗面化粧台の構造。
【発明の詳細な説明】
【技術分野】
【０００１】
本発明は、シャワーホースを伝わって流下する水を受ける水受けタンクを備えた洗髪洗面化粧台の構造に関する。
【背景技術】
【０００２】
上記洗髪洗面化粧台において、シャワーベースに着脱自在に支持されたシャワーヘッドを引出し洗髪する際、シャワーベースから直接あるいはシャワーホースを伝わって、水が洗面キャビネット内に浸入する。そこで、この水を水受けタンクで受け、溜まった水を水抜き口から排出することが行われている。
【特許文献１】実公平７−１４４号公報（第１〜３頁、第１図、第２図）
【発明の開示】
【発明が解決しようとする課題】
【０００３】
しかしながら、上記特許文献１の第１図、第２図から明らかなように、水受けタンクの前方に物が置かれると、水受けタンクの水位を確認することができず、ときによっては、水が溢れて洗面キャビネット内を汚すという問題ある。本発明は、このような問題を解決して、目視によることなく、水受けタンクの水位を検知することの可能な洗髪洗面化粧台の構造を提供することをその課題とする。
【課題を解決するための手段】
【０００４】
上記課題を解決するために、本発明においては、つぎのような技術的手段を講じている。すなわち、本発明によれば、洗面キャビネットの内部に水受けタンクを配置し、シャワーヘッドに湯水を供給するシャワーホースが上記水受けタンクの中を通り抜け、上記シャワーヘッドに接続される洗髪洗面化粧台であって、上記シャワーヘッドからシャワーホースを伝わって流下する水が上記水受けタンクに案内され溜められるとともに、上記水受けタンクの内部には貯留水の水位検知センサが設けられ、この水位検知センサが貯留水の設定水位到達を検知すると作動する警告手段を備えた洗髪洗面化粧台の構造が提供される。
【０００５】
上記水位検知センサと上記警告手段との間にはコントローラが介在し、水位検知センサが貯留水の設定水位到達を検知すると電気信号をコントローラに発信する。コントローラはこの電気信号に基づいて警告手段を作動させる。警告手段は警告ランプとすることが好ましく、この警告ランプをミラーキャビネットに設けることが好ましい。
【発明の効果】
【０００６】
請求項１に記載の発明は上記のとおりであり、上記シャワーヘッドからシャワーホースを伝わって流下し水受けタンクに溜まった水は、上記水受けタンクの内部に設けられた水位検知センサでその水位を検知され、設定水位に到達すると警告手段が作動するため、水受けタンクの前方に物が置かれても、警告手段の作動によって水位を確認することができる。
【０００７】
上記警告手段を警告ランプとするとともに、この警告ランプがミラーキャビネットに配設されているため、警告ランプの点灯により貯留水の設定水位到達を容易に知ることができる。したがって、貯留水を溢れさせることなく、タイミングよく水抜き口から排水することができる。
【発明を実施するための最良の形態】
【０００８】
以下、本発明の実施形態について図面を参照して、詳細に説明する。図１は、本発明にかかる洗髪洗面化粧台の洗面キャビネット内の要部を示す正面図である。図１に示されているように、洗面キャビネット２の上面部にはシャワーベース３が設けられ、このシャワーベース３にシャワーヘッド５が着脱自在に支持されている。また、シャワーヘッド５には湯水を供給するためのシャワーホース４が接続され、シャワーホース４の他端部は混合水栓７に接続されている。
【０００９】
一方、洗面キャビネット２内には水受けタンク１が配設され、上記シャワーホース４は水受けタンク１の中を通り抜け、シャワーヘッド５に接続されている。また、水受けタンク１とシャワーベース３とは案内ホース６で接続されている。
【００１０】
洗髪の際は混合水栓７を開くと、シャワーホース４から供給された湯水がシャワーヘッド５から噴出する。このとき、シャワーベース３から直接あるいはシャワーホース４を伝わって、水が洗面キャビネット２内に浸入しようとするため、この水を案内ホース６で案内し、水受けタンク１で受ける。水受けタンク１に溜まった水は、水受けタンク１の下部に設けられた水抜き口１２から排出し、たらい等の容器に受けて捨てる。
【００１１】
本発明においては、水受けタンク１の中に水位検知センサ１１を設け、この水位検知センサ１１が貯留水の水位を検知し、貯留水の排水時を知らせる。すなわち、貯留水が設定水位に到達すると水位検知センサ１１が作動して、コントローラＣに電気信号を発する。コントローラＣはこの電気信号に基づいて警告手段としての警告ランプ８に点灯を指令し、警告ランプ８の点灯によって使用者は貯留水の排出時が来たことを知る。
【００１２】
図２は本発明にかかる洗髪洗面化粧台を示す正面図であり、警告ランプ８を、ミラーキャビネット９のスイッチ、コンセント類を操作する操作部に配設した状態を示す。図２において、上記警告ランプ８が点灯することによって水受けタンク１内に溜まった水が設定水位に達したことがわかる。以上述べたように、本発明においては目視によらないため、水受けタンク１の前方に物等が置かれても貯留水が設定水位に到達したことを容易に知ることができる。
【図面の簡単な説明】
【００１３】
【図１】本発明にかかる洗髪洗面化粧台の洗面キャビネット内の要部を示す正面図である。
【図２】本発明にかかる洗髪洗面化粧台を示す正面図である。
【符号の説明】
【００１４】
１          水受けタンク
１１        水位検知センサ
２          洗面キャビネット
４          シャワーホース
５          シャワーヘッド
８          警告ランプ
９          ミラーキャビネット
【図１】
2006223347.tif 000003
【図２】
2006223347.tif 000004